(57)【特許請求の範囲】
【請求項１】
玄関土間から立設した立上り部の上部で且つ玄関床面の玄関土間側前端部に上がり框を位置させ、上がり框の下部に少なくとも玄関土間側である前面に開口した収納部を設けると共に、この収納部をコントローラを収納するコントローラ収納部と照明部を収納する照明部収納部とを隣接配置させて構成し、コントローラ収納部の最奥部に貫通孔を設け、コントローラと照明部とで構成した照明装置を収納部に前面から収納し、上記玄関床面の下方位置に配線した電源線を貫通孔に挿通させて収納部に導入すると共に収納部に配設したコントローラに上記電源線の先端を連結し、照明装置を収納部に配設した状態でコントローラの裏方に空間を設けてこの空間に上記電源線の余長部分を収納し、コントローラ収納部と照明部収納部との間を仕切る壁面を設けると共に上記壁面にコントローラ収納部と照明部収納部とを連通させる挿通孔を設け、コントローラと照明部とを接続した配電線を上記挿通孔に挿通し、コントローラと照明部との間の上記壁面よりもコントローラ収納部側に空間を設け、この空間に上記配電線の余長部分を収納したことを特徴とする玄関足元照明装置。
【請求項２】
上記コントローラの裏方の空間を、コントローラの背面に奥方に突設したつば片を収納部の最奥部に位置させることで、照明装置の背面と収納部の最奥部との間に形成したことを特徴とする請求項１に記載の玄関足元照明装置。
【請求項３】
コントローラと照明部とから構成した照明装置のコントローラの前面に手で把持できるつまみ突部を前方に突設したことを特徴とする請求項１に記載の玄関足元照明装置。
【請求項４】
玄関土間の明るさを検知する明るさセンサをコントローラの前面に前方に突出したセンサ台の先端に設け、上記センサ台を手で把持できるようにしたことを特徴とする請求項３に記載の玄関足元照明装置。
【請求項５】
上記収納部を、上がり框の下部に少なくとも前方に開口する切欠部を設けると共に上記切欠部に少なくとも前方に開口した収納ボックスを装着することで形成し、上記収納ボックスの下端位置に水抜き開口を設けたことを特徴とする請求項１に記載の玄関足元照明装置。
【請求項６】
コントローラと照明部とから構成した照明装置を収納した収納部にはその開口を塞ぐようにカバーを被着し、上記カバーには収納部に収納した照明部を覆う照明部カバーを有し、上記照明部カバーの上部を非透光材で形成すると共に上記照明部カバーの下部を透光材で形成したことを特徴とする請求項１に記載の玄関足元照明装置。
【請求項７】
上記貫通孔に、電源線の余長部分を収納させる上記コントローラの裏方の空間を設けたことを特徴とする請求項１に記載の玄関足元照明装置。
【発明の詳細な説明】
【０００１】
【発明の属する技術分野】
本発明は、玄関の上がり框に配設した玄関足元照明装置に関する発明である。
【０００２】
【従来の技術】
従来、玄関の上がり框における玄関足元照明装置には、例えば、特開平２０００−０４５５０５号公報等が提案されていた。これは、図２３に示すように、玄関の玄関土間１から立上り部２を立設し、玄関床面３の玄関土間側前端部に上がり框４を設け、上記立上り部２の上部に上記上がり框４が玄関土間側に突出するように位置し、上記上がり框４の下面の立上り部２よりも玄関土間側に位置した部分に上方に凹設した凹溝４０を設け、上記凹溝４０に照明装置８を配設したものである。ここで、上記凹溝４０には玄関床面３の下方位置に配線した電源線７が導入されている。この凹溝４０に照明装置８を配置する際には、図２４に示すように、凹溝４０の下面開口から電源線７を掴んでその先端を前面に引張り出し、上記電源線７の先端を照明装置８に連結し、上記電源線７と連結した照明装置８を上がり框４の下方から凹溝４０に挿入して配置していた。
【０００３】
【発明が解決しようとする課題】
しかしながら、照明装置８が挿入配置される凹溝４０は下方に開口するのみで、玄関土間側である前面からは上記凹溝４０の内部は見えるものではない。従って、上記照明装置８に連結させる電源線７を上記凹溝４０から玄関土間側前面に引張り出す際に電源線７の位置も前面からは目視確認できるものではない。しかして、上記照明装置８に電源線７の先端を連結させようとする施工作業者は凹溝４０内の上記電源線７を探すことが容易ではなく、上記電源線７の照明装置８への連結施工作業に手間がかかるものであった。
【０００４】
本発明は上記の点に鑑みてなされたものであり、玄関の上がり框に照明装置を配置する際にその施工性の向上を図り得る玄関足元照明装置を提供することを課題とするものである。
【０００５】
【課題を解決するための手段】
上記課題を解決するために本発明の請求項１に係る玄関足元照明装置は、玄関土間１から立設した立上り部２の上部で且つ玄関床面３の玄関土間側前端部に上がり框４を位置させ、上がり框４の下部に少なくとも玄関土間側前面に開口した収納部５を設けると共に、この収納部５をコントローラ２０を収納するコントローラ収納部５ａと照明部２１を収納する照明部収納部５ｂとを隣接配置させて構成し、コントローラ収納部５ｂの最奥部に貫通孔６を設け、コントローラ２０と照明部２１とで構成した照明装置８を収納部５に前面から収納し、上記玄関床面３の下方位置に配線した電源線７を貫通孔６に挿通させて収納部５に導入すると共に収納部５に配設したコントローラ２０に上記電源線７の先端を連結し、照明装置８を収納部５に配設した状態でコントローラ２０の裏方に空間１０（４７）を設けてこの空間１０（４７）に上記電源線７の余長部分を収納し、コントローラ収納部５ａと照明部収納部５ｂとの間を仕切る壁面を設けると共に上記壁面にコントローラ収納部５ａと照明部収納部５ｂとを連通させる挿通孔３５（４８）を設け、コントローラ２０と照明部２１とを接続した配電線２６，３２を上記挿通孔３５（４８）に挿通し、コントローラ２０と照明部２１との間の上記壁面よりもコントローラ収納部５ａ側に空間１０（４９）を設け、この空間１０（４９）に上記配電線２６，３２の余長部分を収納したことを特徴とする。
これにより、玄関床面３の下方位置に配線した電源線７が収納部５の最奥部に形成した貫通孔６を挿通し、上記電源線７の先端を収納部５に導入した際、上記収納部５に導入された電源線７は上記収納部５の前面の開口を通じて玄関土間１から目視確認できるものであって、容易に上記電源線７を掴んで収納部５の前面に引張り出して照明装置８のコントローラ２０に連結できるものである。また、この玄関土間側である前面に引張り出した電源線７をコントローラ２０に連結する電源線７のコントローラ２０への接続作業においては、電源線７には前面に引張り出した長さ分の余長部分を生じさせるものであるが、照明装置８を収納部５に配設した状態でコントローラ２０の裏方に空間１０（４７）を設けたので、照明装置８の収納部５への収納施工の際にこの空間１０（４７）に上記電源線７の余長部分を収納させることができるものであって、上記電源線７の余長部分を玄関床面３の下方位置に配線し直したりすることなしに上記照明装置８の収納部５への収納施工を行うことができる。
また、照明部２１から延出した配電線３２を玄関土間１側に引張り出してこの配電線３２をコントローラ２０から延出した配電線２６に接続させる配電線２６，３２の接続作業においては、配電線２６，３２には前面に引張り出した長さ分の余長部分を生じさせるものであるが、コントローラ収納部５ａと照明部収納部５ｂとの間を仕切る壁面を設けると共に上記壁面にコントローラ収納部５ａと照明部収納部５ｂとを連通させる挿通孔３５（４８）を設け、コントローラ２０と照明部２１とを接続した配電線２６，３２を上記挿通孔３５（４８）に挿通し、コントローラ２０と照明部２１との間の上記壁面よりもコントローラ収納部５ａ側に空間１０（４９）を設け、この空間１０（４９）に上記配電線２６，３２の余長部分を収納したので、照明装置８の収納部５への収納施工の際にこの空間１０（４９）に上記配電線２６，３２の余長部分を収まり良く収納させることができるのは勿論のこと、コントローラ２０をコントローラ収納部５ａに収納させる作業の際に作業者が誤って照明部収納部５ｂ内に手を挿入してしまうといったことを無くし、照明部収納部５ｂに収納した照明部２１を破損させたり照明部２１への手の接触による感電等の事故を無くすことができる。
なお、上記壁面に設けた挿通孔３５（４８）に配電線２６，３２を引掛けて挿通させると、照明部２１から導出された配電線３２をコントローラ２０に連結させる際に施工作業者が配電線３２を玄関土間１側に引っ張ったとしても、上記配電線３２は挿通孔３５（４８）の孔縁部分に引っ掛かることで上記施工作業者による引張り力の照明部２１への直接負荷を避けるものであって照明部２１に損傷を生じさせにくくできるのであり、また、配電線２６，３２を連結させたコントローラ２０をコントローラ収納部５ａに収納させた際には、挿通孔３５（４８）に挿通されて挿通孔３５（４８）の孔縁部分に引っ掛かった配電線２６，３２は不用意に照明部収納部５ｂに侵入しないものであって、配電線２６，３２の照明部２１への不用意な負荷を無くして照明部２１の損傷を生じさせないようにすることができる。またこのとき、上記照明部２１に侵入しない配電線２６，３２には玄関土間１側で余長部分が生じるものであるが、この配電線２６，３２の余長部分はコントローラ収納部５ａに内在した上記空間１０（４９）に収納できるので、配電線２６，３２は収まり良く収納部５内に収納できるものである。
【０００６】
また、本発明の請求項２に係る玄関足元照明装置は、請求項１において、上記コントローラ２０の裏方の空間１０を、コントローラ２０の背面に奥方に突設したつば片９を収納部５の最奥部に位置させることで、照明装置８の背面と収納部５の最奥部との間に形成したことを特徴とする。これにより、照明装置８のコントローラ２０の背面のつば片９の突出先端部分を収納部５の最奥部及び側部に当接させると、コントローラ２０の裏方の空間１０を形成することができると共に、照明装置８を収納部５の所定位置に一意に装着することができるものである。
【０００７】
また、本発明の請求項３に係る玄関足元照明装置は、請求項１において、コントローラ２０と照明部２１とから構成した照明装置８のコントローラ２０の前面に手で把持できるつまみ突部４５を前方に突設したことを特徴とする。これにより、施工作業者は上記つまみ部４５を摘んでコントローラ２０の収納部５への収納・取り出し作業を行うことができることから、本来的に行いにくかった上がり框４の下部の収納部５へのコントローラ２０の収納・取り出し作業の施工性を向上させることができるものである。
【０００８】
また、本発明の請求項４に係る玄関足元照明装置は、請求項３において、玄関土間１の明るさを検知する明るさセンサ２４をコントローラ２０の前面に前方に突出したセンサ台５５の先端に設け、上記センサ台５５を手で把持できるようにしたことを特徴とする。これにより、玄関土間１の明るさを検知するために本来的にコントローラ２０の前端位置に明るさセンサ２４を配置させるためのセンサ台５５を手で把持できるようにしたことで、センサ台５５につまみ突部４５の機能を持たせることができてコントローラ２０の構造の簡略化が図られるものである。
【０００９】
また、本発明の請求項５に係る玄関足元照明装置は、請求項１において、上記収納部５を、上がり框４の下部に少なくとも前方に開口する切欠部１４を設けると共に上記切欠部１４に少なくとも前方に開口した収納ボックス１５を装着することで形成し、上記収納ボックス１５の下端位置に水抜き開口４６を設けたことを特徴とする。これにより、玄関土間１の清掃時などに収納部５内に水が浸入しても、上記収納部５を形成する収納ボックス１５の下端位置の水抜き開口４６から上記収納部５に侵入した水を速やかに抜くことができるものであって、収納部５に収納される照明装置８におけるショート等の不具合を避けることができるものである。
【００１０】
また、本発明の請求項６に係る玄関足元照明装置は、請求項１において、コントローラ２０と照明部２１とから構成した照明装置８を収納した収納部５にはその開口を塞ぐようにカバー１３を被着し、上記カバー１３には収納部５に収納した照明部２１を覆う照明部カバー１３ｂを有し、上記照明部カバー１３ｂの上部を非透光材６３で形成すると共に上記照明部カバー１３ｂの下部を透光材６４で形成したことを特徴とする。これにより、収納部５に収納した照明部２１が発する照明光のうち、上方に照射される照明光を照明部カバー１３ｂの非透光材６３で遮断することができて玄関土間１にいる人の目に直接照明光が入らないようにでき、玄関土間１の足元部分のみを照射させることができるものである。
【００１１】
また、本発明の請求項７に係る玄関足元照明装置は、請求項１において、上記貫通孔６に、電源線７の余長部分を収納させる上記コントローラ２０の裏方の空間４７を設けたことを特徴とする。これにより、電源線７の先端を照明装置８に連結させる際には上記電源線７は玄関土間１側に引っ張って照明装置８に連結されるものであって電源線７を接続した照明装置８を収納部５に収納すると電源線７には余長部分が生じるものであるが、電源線７を挿通させた貫通孔６にコントローラ２０の裏方の空間４７を設けたことで、上記電源線７を接続した照明装置８を収納部５に収納する作業動作で上記電源線７の余長部分を上記空間４７に自然に収めることができるものである。
【００１３】
【発明の実施の形態】
以下、本発明を添付図面に示す実施形態に基づいて説明する。
【００１４】
図１乃至図５に本発明の実施の形態の例を示す。この玄関構造は、図１に示すように、玄関に敷設した玄関土間１に床面土台１１を配置し、上記床面土台１１の玄関土間側である前面にタイル１２を貼着して立上り部２を立設し、玄関床面３の玄関土間側前端部に上がり框４を設け、上記立上り部２の上部に上記上がり框４を玄関土間側に突出するように位置させ、上記上がり框４にはその下部に玄関土間側である前面に開口する収納部５を設け、上記収納部５に立上り部近傍位置の玄関土間１を照射する照明装置８を装着し、上記玄関床面３の下方位置の電源線配線部３９にＶＦＦケーブル等からなる電源線７を配線し、玄関土間１から見て収納部５の最奥部に貫通孔６を設け、上記電源線７の先端を上記貫通孔６に挿通させて収納部５に導入すると共に、上記電源線７の先端を上記照明装置８に連結し、上記収納部５の玄関土間側前面に上記収納部５の開口を閉塞するカバー１３が着脱自在に取り付けられた構成を有しているものである。
【００１５】
以下、玄関足元照明装置の構成要素につき詳述する。
【００１６】
上がり框４に設けられる玄関土間側である前面に開口した収納部５は、本例においては、上がり框４の下部に下面及び前面に開口する切欠部１４を形成し、上記切欠部１４に前面に開口する筐状体の収納ボックス１５を配設して形成されるものである。上記収納ボックス１５はＡＢＳ（アクリロニトリル・ブタジエン・スチレン）樹脂で成形し、上記切欠部１４の上面及び背面に接着剤を介在させて固着させている。つまり、照明装置８は収納ボックス１５の内部に装着されるものである。ここで、収納ボックス１５の内壁面には係止部１６が設けられており、上記収納ボックス１５に前面から挿入した照明装置８を係合させて着脱自在に装着させている。また、収納ボックス１５はその上部と下部との玄関土間側前方への突出長さを違えて、つまり、収納ボックス１５の上部をその下部に比べて前方へ突出させて形成しているものである。そして、上記収納ボックス１５の上部における前端部分を切欠部１４の上端部分における前端部分に臨ませるように配置している。このように、照明装置８を装着する上がり框４の収納部５を収納ボックス１５で構成させ、上記照明装置８を収納ボックス１５内部に着脱自在に装着したことにより、上がり框４から照明装置８を容易に取り外してメンテナンスまたは交換等を行い得ることを確保しているものである。つまり、立上り部２の上端に位置した切欠部１４に直に照明装置８を装着した場合においては、後述する立上り部２の施工において行われる床面土台１１への接着剤を介してのタイル１２の貼着の際に上記接着剤が誤ってタイル１２と照明装置８とを接着してしまって、照明装置８が略恒久的に上がり框４から外れなくなるといったことが生じてしまう場合があるが、本例ではこのような事態を避けることができるものである。また、電気的観点から見ても、上述したように収納ボックス１５内部に照明装置８を装着したことで、電気が通る照明装置８が直接上がり框４等の木質部に触れさせることを避けることができて安全性を向上させることができる。
【００１７】
また、照明装置８は上がり框４の玄関幅方向である長手方向に沿って設けられるものであって、本例では、図４及び図５に示すように、照明部２１とコントローラ２０とを隣接配置して形成したものを用いている。これは、照明装置８が故障等した際に照明部２１及びコントローラ２０を別個に取り替え得ることを図っているものである。ここで、上記照明部２１は玄関土間１を照らす照明部分であって、上記コントローラ２０は上記照明部２１の制御を行う部分である。コントローラ２０はその構成部品の多さと配置面積から結果的に照明部２１よりも奥行き寸法の大きな設置部分を必要とするものであり、しかして、上がり框４の切欠部１４はコントローラ２０を配置する大切欠部１４ａと照明部２１を配置する小切欠部１４ｂとで構成されている。この大切欠部１４ａと小切欠部１４ｂとは玄関土間側前面から奥方への奥行き寸法を違えて形成してあり、すなわち、大切欠部１４ａの奥行き寸法を小切欠部１４ｂの奥行き寸法よりも大きくして形成している。更に、上記切欠部１４に装着する収納ボックス１５も同様に、大切欠部１４ａに装着するコントローラ収納ボックス１５ａと小切欠部１４ｂに装着する照明部収納ボックス１５ｂとを有し、上記収納部５もコントローラ収納ボックス１５ａから形成されるコントローラ収納部５ａと照明部収納ボックス１５ｂから形成される照明部収納部５ｂとを有し、また、収納ボックス１５が形成する収納部５に取り付けられるカバー１３もコントローラ収納ボックス１５ａに取り付けるコントローラカバー１３ａと照明部収納ボックス１５ｂに取り付ける照明部カバー１３ｂとを有している。
【００１８】
このコントローラ２０は、図３に示すようにユニット化されたものであって、コントローラ収納部５ａに収納される、つまり、コントローラ収納ボックス１５ａ内部に収納されるものである。このコントローラ２０は難燃性のＡＢＳ樹脂によって成形した矩形函状体のハウジング２３を有し、前面に明るさセンサ２４を設けると共に背面に電源線１３の先端が連結する速結端子部２５を設けているものである。また、上記ハウジング２３の前面以外の側面（両側面、背面）には上下端部位置にそれぞれ外側方向に突出したつば片９をフランジ状に形成してあるものである。また、上記コントローラ２０の背面からは照明部２１への配電を行う配電線２６を延出させており、上記配電線２６の先端にはコネクタ２７が設けられている。
【００１９】
一方、照明部２１は、図５（ｂ）に示すように、照明部収納部５ｂに装着される、つまり、照明部収納ボックス１５ｂ内部に装着される取付台座２９と上記取付台座２９に配置した照明光を発する複数の照明器具２８から構成されるものである。取付台座２９は照明部２１の長手方向に亘るように形成した台座であり、照明部収納ボックス１５ｂの最奥部上部にその長手方向に亘って架設されるものである。上記照明器具２８は、光源としてＬＥＤ３０を用い、上記ＬＥＤ３０を基板３１の前面に固定して形成したものである。上記照明器具２８を取付台座２９に取り付けた際には、照明器具２８は上記取付台座２９に照明部収納部５ｂの長手方向に等間隔に配置されると共に基板３１の前面が玄関土間１に向って面をなすように取り付けられるものである。なお、上記各照明器具２８にはそれぞれ照明器具２８に配電する配電線３２が連結しており、この配電線３２を照明部２１の長手方向に亘って収納する凹溝片３３が照明部収納ボックス１５ｂの最奥部に形成されている。なお、この配電線３２の照明器具２８と反対側の端部ではコネクタ３４が設けられている。
【００２０】
本例の照明装置８は、上記ような構造のコントローラ２０及び照明部２１とが隣接配置して形成されているが、このとき、上がり框４の大切欠部１４ａと小切欠部１４ｂとは隣接して連続し、コントローラ収納ボックス１５ａ及び照明部収納ボックス１５ｂ、また、コントローラ収納部５ａ及び照明部収納部５ｂも隣接配置されるものである。ここで、コントローラ２０を内部に装着するためにコントローラ収納ボックス１５ａは函状体に形成されるものであることから、上記コントローラ収納ボックス１５ａに隣接する照明部収納ボックス１５ｂはコントローラ収納ボックス１５ａに当接させることでその配置位置を一意に決定することができ、また、照明部収納ボックス１５ｂは上がり框４の長手方向に長い形状になることから、照明部収納ボックス１５ｂはコストを考慮して押出成形材で構成しても好ましいものである。同じ理由で、照明部収納ボックス１５ｂに取り付ける照明部カバー１３ｂも押出成形材で構成しても好ましいものである。また、上記収納部５の最奥部に形成する貫通孔６は、玄関床面３の下方位置（電源線配線部３９）に配置されると共にコントローラ２０の速結端子部２５に連結される電源線７を挿通させるものであるから、コントローラ収納部５ａの最奥部、つまり、上がり框４及びコントローラ収納ボックス１５ａの背面部に形成されるものである。また、コントローラ収納ボックス１５ａと照明部収納ボックス１５ｂの隣接部分には上記配電線２６，３２を挿通させる挿通孔３５が設けてあり、コントローラ２０の配電線２６と照明部２１の配電線３２とのコネクタ同士２７，３４のコネクタ接続が行われてコントローラ２０と照明部２１との電気的接続が行われているものである。
【００２１】
上述したように構成した照明装置８を収納部５に収納した際には、コントローラ２０がそのハウジング２３のうち前面以外の側面（両側面、背面）に亘ってその上下端部位置にそれぞれ外側方向につば片９をフランジ状に突設した構成を有していることから、図６及び図４に示すように、上記つば片９の突出先端部がコントローラ収納ボックス１５ａの内面に当接してコントローラ２０の周縁、つまり、コントローラ収納部５ａの周縁部分に空間１０が形成されるものである。これは、後述する玄関足元照明の配置施工における電源線７の照明装置８への連結施工作業の際に、電源線７を玄関土間側前面に引張り出すことで電源線７に生じる余長部分や、また、コントローラ２０の配電線２６と照明部２１の配電線３２とのコネクタ同士２７，３４のコネクタ接続部分等の収納スペースを上記空間１０を利用して確保することができるものであって、例えば、上記電源線７を玄関床面３の下方位置の電源線配線部３９に配線し直したりすることなしに照明装置８の収納部５への収納施工を行うことができ、照明装置８の収納部５への収納施工の施工性が向上するものである。また、上記つば片９の突出先端部分がコントローラ収納ボックス１５ａの内壁面に当接させることでコントローラ２０をコントローラ収納ボックス１５ａの所定位置に一意に位置決めして装着させることができるという利点もあり、これは後述するコントローラ収納ボックス１５ａに取り付けられるコントローラカバー１３ａに設けた採光窓３８に対してコントローラ２０の明るさセンサ２４を合わせて配置する際に有用である。
【００２２】
また、上述したように上記収納部５の前面の開口には上記開口を閉塞するカバー１３を着脱自在に取り付けるものであるが、このカバー１３は、収納部５の玄関土間側前面の開口を閉塞するカバー本体１７と、収納ボックス１５の内面のうち天面部及び底面部に設けた係止凹部１９に係合するカバー本体１７の裏面から奥方に突出した一対の係合片１８とで構成されたものである。ここで、上記カバー本体１７の下部には下方に行く程奥方に位置するような傾斜部３６を形成しているものである。この傾斜部３６は玄関土間１に立つ人の目線から照明装置８を隠匿させたカバー１３をも見えづらくさせるものであって、玄関の外観の向上を図る意味で形成したものである。また、カバー本体１７は、カバー１３を収納部５に取り付けた際に、その上端部分１７ａの裏面を上がり框４の前端面に当接させるようにしてある。これは、切欠部１４の木材切断面を前面に露出させることを防いで、玄関の意匠性及び外観の向上を図っているものであり、また、収納ボックス１５の切欠部１４への納まりを良くするといった施工性の向上をも図っているものである。
【００２３】
また、上記カバー１３は、本例では、コントローラカバー１３ａと照明部カバー１３ｂとを有するものであるが、上記コントローラカバー１３ａにはその前面に採光窓３８［図４（ｂ）］を設けており、上記明るさセンサ２４が玄関土間側前面の光を採光することができるようにしている。これにより、本例では、上記明るさセンサ２４が前面に設けられているので、例えば、上がり框４の下面に明るさセンサ２４を設けた場合の薄暗く検知されてしまうといった誤検知を避けることができるものであって、上記上がり框４の下面に明るさセンサ２４を設けた場合と比較して玄関空間を正確に検知させることができるものである。そして、照明装置８の照明部２１の制御を玄関空間の状態に合わせて行うことができるものである。また、照明部カバー１３ｂはその傾斜部３６に照明部２１の照明器具２８が発する照明光を透過させる照明窓３７を形成してあるものである。これは、照明部２１の照明器具２８が発する照明光を玄関土間１の特定部分に向けて照射させることを図っているものであり、本例においてはポリカーボネード等の透過材で形成しているものである。また、上述したように照明部２１では照明装置２８が玄関土間１に向って面をなすように取付台座２９に取り付けられており、上記照明装置２８と上記照明部カバー１３ｂの傾斜部３６は対向位置にあるものであって、上記傾斜部３６には照明器具２８から比較的強い照明光が照射されているものであり、上記傾斜部３６に照明窓３７を形成したことで上記照明器具２８からの比較的強い照明光を玄関土間１に照射できるといった利点もあるものである。
【００２４】
また、本例においては、図４に示すように、玄関足元照明装置の外観を左右対称に見せることを期して、照明部２１の長手方向端部のうちのコントローラ２０に隣接しない方の端部にはコントローラカバー１３ａの正面外観に似せたダミーカバー１３ｃを取り付けている。これは、玄関土間側前面から玄関足元照明装置を見た際に、あたかもその横方向両端にコントローラカバー１３ａを備えるように見せかけるものであり、玄関足元照明装置の正面外観を左右対称にして外観の向上を図っているものである。
【００２５】
また、本例においては、上がり框４の大切欠部１４ａの奥方に電源線配線部３９を設けてある。この電源線配線部３９は、玄関床面３の下方位置に配線する電源線７の配線スペースであって、上がり框４の上記大切欠部１４ａ及び貫通孔６に連続すると共に少なくとも下方または奥方に開口して形成された切欠状または孔状のものである。
【００２６】
上述した構成を有する玄関足元照明装置の施工作業を以下に示す。まず、玄関土間１に床面土台１１を配置し、上記床面土台１１の上面に上記上がり框４及び玄関床面３を配置し、また、上記床面土台１１の玄関土間側である前面にタイル１２を接着剤等で貼着して立上り部２を形成する。上記上がり框４は工場出荷段階において収納部５に照明装置８を装着すると共にカバー１３を取り付けたものがその施工現場にて用いられるものであるが、この施工作業の際に少なくとも照明装置８のコントローラ２０及びコントローラカバー１３ａを収納部５から取り外しておく。次に、玄関床面３の下方位置の電源線配線部３９に電源線７を配線し、上記電源線７の先端を収納部５の貫通孔６に挿通させて収納部５に導入し、上記収納部５に導入した電源線７を掴んでその先端を玄関土間側である前面に引張り出し、上記電源線７の先端を照明装置８に連結する。そして、上記電源線７と連結させて電気が供給されるようにした照明装置８を上がり框４の収納部５に再び挿入して装着し、カバー１３を収納部５の前面に取り付けるものである。
【００２７】
上述したような施工作業の際には、上がり框４の収納部５が玄関土間側である前面に開口して形成されていることで、上記収納部５からカバー１３及び照明装置８を取り外した状態において、収納部５の玄関土間１から最奥部に設けた貫通孔６を挿通して収納部５に導入された状態の電源線７が玄関土間１から目視確認できるものであって、容易に上記電源線７を掴んで収納部５の玄関土間側前面に引張り出して照明装置８に連結できるものである。つまり、電源線７の照明装置８への連結施工作業の施工性が従来技術と比較して向上しているものである。
【００２８】
以下、本発明の実施の形態の他例を示す。この例は、玄関土間１に立った人から照明装置８及びカバー１３を更に見えにくくして玄関の外観の向上を図った例であり、具体的には、図７に示すように、照明装置８の前面に装着したカバー１３の前面を上がり框４の切欠部１４の前端部分よりも奥方に位置させているものである。つまり、先の実施の形態の例に比べて上がり框４の切欠部１４をその奥行き寸法を大きく形成し、収納ボックス１５を上記切欠部１４よりも奥行き寸法を小さくして形成して、上がり框４の下部に収納部５を上記収納部５の前面に設けた開口が上がり縁４の前面よりも奥方に位置させて設け、上記収納部５に照明装置８及びカバー１３を装着したものである。本例では、カバー１３の前面を切欠部１４の前面から１０ｍｍ程奥方に位置させており、また、立上り部２の高さを３０ｍｍにしてある。この場合では、上記カバー１３は視線の高さ１３０ｃｍで上がり縁４から１８０ｃｍ離れて玄関土間に立った人から見えないものとすることができる。
【００２９】
また、本発明の実施の形態の更に他例を図８乃至図２２に示す。この例は、上述した本発明の実施の形態の例にいくつかの改良を施したものであり、上記実施の形態の例と同様部分には同符合を付して説明を省略し、相違部分につき詳述していく。
【００３０】
図８には、上がり框４の正面図、下面図を示す。上がり框４の下部には玄関土間１である前方及び下方に開口した切欠部１４が設けられており、前面からの奥行き寸法の大きな大切欠部１４ａの最奥部には玄関床面２の下方空間に連通した貫通孔６が形成されている。この貫通孔６はその横幅方向寸法を大切欠部１４ａの幅方向寸法に対して略半分程の横幅方向に広い開口を有すると共にある程度の孔深さを有した長孔に形成してあり、収納部５に収納されるコントローラ２０に連結する電源線７の余長部分を収納させ得る空間４７を兼ねている。なお、小切欠部１４ｂは大切欠部１４ａよりも奥行き寸法を小さく、また、横幅方向寸法は大きく形成されている。
【００３１】
この大切欠部１４ａにはコントローラ収納ボックス１５ａを装着してコントローラ２０を収納させるコントローラ収納部５ａを形成し、コントローラ２０を収納したコントローラ収納ボックス１５ａにはコントローラカバー１３ａを被着する。
【００３２】
図９，１０にはコントローラ収納ボックス１５ａを示す。このコントローラ収納ボックス１５ａは前方に開口した函状体であり、その背面部には上記貫通孔６に連通するボックス貫通孔６ａが形成され、また、上記ボックス貫通孔６ａの左右端縁部には前方に突出したフック突起５０が１対形成されている。このコントローラ収納ボックス１５ａには照明部収納ボックス１５ｂが隣接配置されるが、１対のフック突起５０のうち照明部２１側のフック突起５０とコントローラ収納ボックス１５ａの照明部２１側の側面部との間には中空空間が設けられている。この中空空間はコントローラ２０と照明部２１を連結させる配電線２６，３２の余長部分を収納させる空間４９として使用される。また、コントローラ収納ボックス１５ａの側面部のうち照明部収納ボックス１５ｂに隣接する側面部には照明部収納ボックス１５ｂ方向に突出した組み付け突部５１が形成され、また、底面部の前端には上下に貫通した水抜き開口４６が適所に設けられている。ここで、この底面部の前端は天面部の前端と共にコントローラカバー１３ａとの連結部分にあたる部分である。この底面部の前端及び天面部の前端には係止凹部１９が底面部及び天面部の内面を部分的に凹没させるようにして形成されている。
【００３３】
図１１にはコントロールカバー１３ａを示す。このコントロールカバー１３ａは、上方から下方にいくにつれて奥方に位置するような傾斜部３６を全体に形成したカバー本体６１と、上記カバー本体６１の裏面の上端及び下端部分に奥方に突設した係止片１８とで主体が構成されるものである。カバー本体６１の中央部にはコントロール２０の明るさセンサ２４を挿入させるセンサ挿入孔５３が前方に突出する筒状に形成されている。
【００３４】
図１２にはコントローラ２０を示す。このコントローラ２０は略矩形函状のハウジング２３を有し、上記ハウジング２３の内部に照明部２１の照明のオンオフや出力を制御する制御部５４が配設されている。この制御部５４は電源線７と配電線２６とを電気的に接続させると共に明るさセンサ２４を接続させている。この明るさセンサ２４は上述したように玄関土間１の明るさを検知するものであって一定の明るさ以下において照明装置を作動させるものである。上記ハウジング２３の前面は、下方に行く程奥方に位置するような傾斜部を全体に形成しており、その横幅方向の両端部には前方に突出したつまみ突起４５がそれぞれ形成されており、またその横幅方向の中央部には前方に突出したセンサ台５５が設けられ、上記上記センサ台５５の前端には明るさセンサ２４が配置されている。なお、上記明るさセンサ２４はその運転設定を変えるための調節ツマミ５６がハウジング２３の前面に臨むように設けられている。また、ハウジング２３の背面には玄関床面の下方に配設した電源線７の先端を連結させる速結端子部２５が背面端面から前方に凹没した位置に設けられている。また、ハウジング２３の照明部２１側の側面部には配電線２６が延出され、その延出先端にはコネクタ２７が装着されている。
【００３５】
上記コントロ−ル収納ボックス１５ａには、図１３に示すように、コントローラ２０が収納される。コントローラ２０のコントロ−ル収納ボックス１５ａへの装着は、コントローラ２０をコントロ−ル収納ボックス１５ａの背面部に設けた１対のフック突起５０の間に挿入配置させると共に、上記１対のフック突起５０をコントローラ２０のハウジング２３の両側に設けた受け突起５７に係合させて着脱自在に装着される。ここで、コントローラ２０をコントロ−ル収納ボックス１５ａに挿入する際には、施工作業者は上記コントローラ２０の前面に設けたつまみ突起４５やセンサ台５５を摘んで行うものである。上がり框４の下部の収納部５へのコントローラ２０の収納・取り出し作業は狭く見にくい場所での作業であることから本来的に行いにくいものであったが、上述したように施工作業者は上記つまみ部４５やセンサ台５５を摘んでコントローラ２０の収納部５への収納・取り出し作業を行うことができることから、施工性が向上しているものである。ここで、玄関土間１の明るさを検知するために本来的にコントローラ２０の前端位置に位置させる明るさセンサ２４を先端に設けたセンサ台５５を手で把持できるようなものにすると、センサ台５５につまみ突部４５としての機能（施工業者に摘まれる）を持たせることができ、コントローラ２０につまみ突部４５を設けないで済ませることもできてコントローラ２０の構造の簡略化を図ることもできるのである。なお、コントローラ２０をコントローラ収納ボックス１５ａに収納した状態では、コントローラ２０の速結端子部２５はボックス貫通孔６ａ及び貫通孔６に臨む位置に配置されるものである。
【００３６】
そして、コントローラ２０が収納されたコントローラ収納ボックス１５ａには、図１４に示すように、コントローラ収納ボックス１５ａの前面開口を覆うようにコントローラカバー１３ａの係止片１８をコントローラ収納ボックス１５ａの係止凹部１９に係合させて被着させるものである。このとき、コントローラカバー１３ａのセンサ挿入孔５３の前端には上記コントローラ２０の明るさセンサ２４が臨むように配置される。また、コントローラカバー１３ａの照明部カバー１３ｂが隣接する側端部分は、対向するコントローラ収納ボックス１５ａの側端よりも照明部カバー１３ｂ側に突出させており、また、上記側端部分のカバー本体６１は裏面を切り欠くようにしてカバー本体６１の表裏厚を薄く形成させている。ここで、コントローラカバー１３ａのカバー本体６１の下端が連結するコントローラ収納ボックス１５ａの底面部の前端には水抜き開口４６が設けられているが、これは、玄関土間１の清掃時等に上記コントローラ収納ボックス１５ａの内側に水が浸入しても、上記水をカバー本体６１の裏面に沿わせて流下させると共に水抜き開口４６から玄関土間１に排出させ得るようにしてあるものであって、つまりコントローラ収納ボックス１５ａには水が溜まらない構造にするものであり、コントローラ２０のショート等の不具合を避けるようにしてある。
【００３７】
一方、小切欠部１４ｂには照明部収納ボックス１５ｂを装着して照明部２１を収納させる照明部収納部５ｂを形成し、上記照明部２１を収納した照明部収納ボックス１５ｂには照明部カバー１３ｂを被着する。
【００３８】
図１５，１６には照明部収納ボックス１５ｂを示す。この照明部収納ボックス１５ｂは前方及び下方に開口すると共に連続する天面部及び背面部より成る横方向に長い柱状体であって、押し出し成形で製造されるものである。天面部の前端及び背面部の下端にはそれぞれ前方に開口する係止凹部１９が形成されている。この係止凹部１９にはそれぞれ上方に凹没させた爪受け部５９が形成されている。また、照明部収納ボックス１５ｂの背面部の下端には長手方向に所定間隔を有して複数個の水抜き開口４６が設けられている。この水抜き開口４６は照明部収納ボックス１５ｂの背面部の下端を下方に切り欠いて形成されるものである。
【００３９】
図１７には照明部カバー１３ｂを示す。この照明部カバー１３ｂは、下方に行く程奥方に位置するような傾斜部３６を全体に形成したカバー本体６２と、上記カバー本体６２の裏面の上端及び下端から奥方に突設した係止片１８とで主体が構成されるものである。ここで、照明部カバー１３ｂは略全体を透光材６４で構成するも上部に非透光材６３を有した２色成形品で構成されている。また、上記係止片１８にはその突出先端に上方に突出させた爪部６０を形成している。
【００４０】
図１８には照明部２１の照明部収納ボックス１５ｂに配設させた状態を示す。この照明部２１はＬＥＤを備えた複数個の照明器具２８を配電線３２で連結させると共に、上記複数個の照明器具２８を照明部収納ボックス１５ｂの長手方向に所定間隔をおいて配設して構成されるものである。なお、複数個の照明器具２８のうちコントローラ２０側に配置される照明器具２８からはコントローラ方向に向って配電線３２が延出されており、その延出先端にはコネクタ３４が設けられている。
【００４１】
小切欠部１４ｂに装着した照明部収納ボックス１５ｂに照明部２１を配置した後には、図１９に示すように、カバー本体６２が照明部収納ボックス１５ｂの前面開口及び下面開口を覆うように照明部カバー１３ｂが上部に非透光材６３を配置させて被着される。ここで、照明部カバー１３ｂの照明部収納ボックス１５ｂへの被着構造としては、係止片１８を係止凹部１９に挿入すると共に、上記係止片１８の爪部６０を係止凹部１９の爪受け部５９に係合させて行わせており、つまり、照明部カバー１３ｂの照明部収納ボックス１５ｂへの被着構造を上下に非対称形状にするものであって照明部カバー１３ｂを上下逆に照明部収納ボックス１５ｂに被着されることが防止されているのである。このように、上部に非透光材６３を位置させて照明部カバー１３ｂを配置したことで、照明部２１が発する照明光のうち上方に照射される照明光を照明部カバー１３ｂの非透光材６３で遮断することができて玄関土間１にいる人の目に直接照明光が入らないようにでき、玄関土間１の足元部分のみを照射させるものである。また、照明部カバー１３ｂのカバー本体６２の下端が連結する照明部収納ボックス１５ｂの背面部の下端には水抜き開口４６が設けられているが、これは、玄関土間１の清掃時等に上記照明部収納ボックス１５ｂの内側に水が浸入しても、上記水をカバー本体６２の裏面に沿わせて流下させると共に水抜き開口４６から玄関土間１に排出させ得るようにしてあり、つまり照明部収納ボックス１５ｂには水が溜まらない構造になっており照明部２１のショート等の不具合を避けるようにしてある。
【００４２】
なお、本例では、コントローラ収納ボックス１５ａと照明部収納ボックス１５ｂとは連結固定されている。つまり、コントローラ収納ボックス１５ａの組み付け突部５１が照明部収納ボックス１５ｂの天面部と背面部との間に挟持されるものであって、コントローラ収納ボックス１５ａと照明部収納ボックス１５ｂとの組付け強度を向上させているものである。また、コントローラカバー１３ａと照明部カバー１３ｂとはその対向する側端同士を重ね合わすように配置してあるものであって、このようにすることで、コントローラカバー１３ａ及び照明部カバー１３ｂの製造時における寸法誤差や熱膨張（熱収縮）による寸法誤差を吸収すると共にコントローラカバー１３ａと照明部カバー１３ｂとの間の隙間の発生を防止し、カバー１３の収納ボックス１５からの外れや上記カバー１３間からの水や砂等の異物の侵入を防止すると共に、納まりのよい外観にすることができるものである。
【００４３】
さて、実際の施工作業においては、先の実施の形態の例及び他例と同様に、上がり框４の切欠部１４に収納ボックス１５を装着し、玄関床面３の下方位置に配設した電源線７を貫通孔６を通して玄関土間１側に引張り出すと共に照明部収納ボックス１５ｂに配置した照明部２１から延出した配電線３２を玄関土間１側に引張り出し、上記電源線７の先端をコントローラ２０の速結端子部２５に連結させると共に上記配電線３２のコネクタ３４をコントローラ２０から延出した配電線２６のコネクタ２７に連結させ、上記電源線７及び配電線２６，３２をそれぞれ連結させたコントローラ２０をコントローラ収納ボックス１５ａに配置させ、その後、収納ボックス１５にカバー１３を被着させて行うものである。
【００４４】
ここで、図２０に示すように、コントローラ収納ボックス１５ａの照明部２１側の側面部の前端部分で且つその上端部分には、前方に開口するように切り欠きを形成するもその前方開口には照明部収納ボックス１５ｂの係止凹所１９を形成するＬ字材１９ａが位置して、結果的に小孔状になった挿通孔４８が設けてあり、照明部２１から延出した配電線３２を上記挿通孔４８に挿通させている。なお、このＬ字材１９ａは照明部収納ボックス１５ｂの天面部から内方に向けて突出すると共に前方に屈曲させてなるものである。この挿通孔４８に挿通した配電線３２は挿通孔４８の孔縁部分に挟まれるものであって、これは、照明部２１から導出された配電線３２をコントローラ２０に連結させる際に施工作業者が配電線３２を玄関土間１側に引張ったとしても、上記施工作業者による引張り力を照明部２１に直接負荷させないようにできて照明部２１に損傷を生じさせないようにすることができるものであり、また、配電線２６，３２を連結させたコントローラ２０をコントローラ収納ボックス１５ａに収納させた際に配電線２６，３２が不用意に照明部収納ボックス１５ｂに侵入しないようにできて、配電線２６，３２の照明部２１への不用意な負荷による照明部２１への損傷を生じさせないようにすることができるものである。なお、挿通孔４８を設けたコントローラ収納ボックス１５ａの照明部２１側の側面部は、コントローラ収納部５ａと照明部収納部５ｂとを仕切る壁面としての役割を有するものであり、コントローラ２０をコントローラ収納ボックス１５ａに収納させる作業の際に、作業者は照明部収納ボックス１５ｂ内に手を誤って挿入してしまうことを無くし、照明部２１を破損させたり、照明部２１への手の接触による感電等の事故を無くすことができるものである。
【００４５】
上述したようにコントローラ２０への電源線７及び配電線２６，３２の接続施工作業は、施工作業者が上記施工作業をし易いように、コントローラ収納ボックス１５ａの前方の床面土間１で上記作業が行われるものであり、上記電源線７及び配電線２６，３２を接続したコントローラ２０をコントローラ収納ボックス１５ａに収納した際には、上記電源線７及び配電線２６，３２には床面土間１側に引張り出した分の余長部分がそれぞれ生じる。コントローラ２０をコントローラ収納ボックス１５ａに収納すると余長部分を有した電源線７及び配電線２６，３２はそれぞれ撓むものであるが、本例では、上がり框４の貫通孔６には空間４７が設けられており電源線７の撓んだ余長部分を収めることができ、また、コントローラ収納ボックス１５ａには収納したコントローラ２０とコントローラ収納ボックス１５ａの照明部２１側の側面部との間に中空空間である空間４９が設けられており配電線２６，３２の撓んだ余長部分を収めることができるのである。このように、本例では、先の実施の形態の例のようにコントローラ２０につば片９を設けないでも、あらかじめ上がり框４に空間４７を設けると共にコントローラ収納ボックス１５ａに空間４９を設けていることで、電源線１３及び配電線２６，３２を接続したコントローラ２０をコントローラ収納ボックス１５ａの所定位置に挿入配置するだけで自然に電源線１３及び配電線２６，３２の余長部分を適所に収納できるものにしており、先の実施の形態の例同様に施工性の向上が図られているのである。
【００４６】
なお、図２２に示すように本例においても、玄関足元照明装置の外観を左右対称に見せて外観を向上させることを期して、照明部２１の長手方向端部のうちのコントローラ２０に隣接しない方の端部にはコントローラカバー１３ａに正面外観を似せたダミーカバー１３ｃを取り付けているものである。この場合にも各種カバー１３（コントローラカバー１３ａ，照明部カバー１３ｂ，ダミーカバー１３ｃ）の側端同士を重ね合わすように配置させており、上述したように、各種カバー１３の製造時における寸法誤差や熱膨張（熱収縮）による寸法誤差を吸収すると共に各種カバー１３同士（コントローラカバー１３ａ，照明部カバー１３ｂ，ダミーカバー１３ｃ）との間の隙間の発生を防止し、カバー１３の収納ボックス１５からの外れや各種カバー１３の間からの水や砂等の異物の侵入を防止し、また、納まりのよい外観にしているのである。
【００４７】
【発明の効果】
上記のように本発明の請求項１記載の玄関足元照明装置にあっては、玄関土間から立設した立上り部の上部で且つ玄関床面の玄関土間側前端部に上がり框を位置させ、上がり框の下部に少なくとも玄関土間側前面に開口した収納部を設け、この収納部をコントローラを収納するコントローラ収納部と照明部を収納する照明部収納部とを隣接配置させて構成し、コントローラ収納部の最奥部に貫通孔を設け、コントローラと照明部とで構成した照明装置を収納部に前面から収納し、上記玄関床面の下方位置に配線した電源線を貫通孔に挿通させて収納部に導入すると共に収納部に配設したコントローラに上記電源線の先端を連結したので、玄関床面に下方位置し配線した電源線が収納部の最奥部に形成した貫通孔を挿通し、上記電源線の先端を収納部に導入した際、上記収納部に導入された電源線は上記収納部の前面の開口を通じて玄関土間から目視確認できるものであって、容易に上記電源線を掴んで収納部の前面に引張り出してコントローラに連結できるものであって、電源線の照明装置への連結施工作業が簡単に行い得るものである。また、照明装置を収納部に配設した状態でコントローラの裏方に空間を設けてこの空間に上記電源線の余長部分を収納したので、電源線のコントローラへの接続作業時に電源線を玄関土間側である前面に引張り出すことで生じる電源線の余長部分を、照明装置の収納部への収納施工の際に玄関床面の下方位置に配線し直したりすることなしに上記空間に収まり良く収納させることができるのである。また、コントローラ収納部と照明部収納部との間を仕切る壁面を設けると共に上記壁面にコントローラ収納部と照明部収納部とを連通させる挿通孔を設け、コントローラと照明部とを接続した配電線を上記挿通孔に挿通し、コントローラと照明部との間の上記壁面よりもコントローラ収納部側に空間を設け、この空間に上記配電線の余長部分を収納したので、配電線のコントローラと照明部との接続作業時に配電線を玄関土間側である前面に引張り出すことで生じる配電線の余長部分を、照明装置の収納部への収納施工の際に上記空間に収まり良く収納させることができるのである。ここで、コントローラ収納部と照明部収納部との間を仕切る壁面を設けたことで、コントローラをコントローラ収納部に収納させる作業の際に作業者が誤って照明部収納部内に手を挿入してしまうといったことを無くし、照明部収納部に収納した照明部を破損させたり照明部への手の接触による感電等の事故を無くすことができるものであり、また、上記壁面には挿通孔が形成されてコントローラと照明部とを連結する配電線が上記挿通孔に挿通していることから、照明部から導出された配電線をコントローラに連結させる際に施工作業者が配電線を玄関土間側に引っ張ったとしても、上記配電線を挿通孔の孔縁部分に引っ掛けることができて上記施工作業者による引張り力の照明部への直接負荷を避けるものであって照明部に損傷を生じさせにくくでき、また、配電線を連結させたコントローラをコントローラ収納部に収納させた際には、挿通孔に挿通されて挿通孔の孔縁部分に引っ掛かった配電線は不用意に照明部収納部に侵入しないものであって、配電線の照明部への不用意な負荷を無くして照明部の損傷を生じさせないようにすることができるものであり、また、上記照明部に侵入しない配電線には玄関土間側で余長部分が生じるものであるが、この配電線の余長部分はコントローラ収納部に内在した上記空間に収納できるので、配電線は収まり良く収納部内に収納できるものである。
【００４８】
また、本発明の請求項２記載の玄関足元照明装置にあっては、請求項１の効果に加えて、
上記コントローラの裏方の空間を、コントローラの背面に奥方に突設したつば片を収納部の最奥部に位置させることで、照明装置の背面と収納部の最奥部との間に形成したので、照明装置のコントローラの背面のつば片の突出先端部分を収納部の最奥部及び側部に当接させると、コントローラの裏方の空間を形成することができると共に、照明装置を収納部の所定位置に一意に装着することができて照明装置の収納部への収納施工の施工性を向上できるものである。
【００４９】
また、本発明の請求項３記載の玄関足元照明装置にあっては、請求項１の効果に加えて、コントローラと照明部とから構成した照明装置のコントローラの前面に手で把持できるつまみ突部を前方に突設したので、施工作業者は上記つまみ部４５を摘んでコントローラの収納部への収納・取り出し作業を行うことができることから、本来的に行いにくかった上がり框の下部の収納部へのコントローラの収納・取り出し作業の施工性を向上させることができるものである。
【００５０】
また、本発明の請求項４記載の玄関足元照明装置にあっては、請求項３の効果に加えて、玄関土間の明るさを検知する明るさセンサをコントローラの前面に前方に突出したセンサ台の先端に設け、上記センサ台を手で把持できるようにしたので、玄関土間の明るさを検知するために本来的にコントローラの前端位置に明るさセンサを配置させるためのセンサ台を手で把持できるようにしたことで、センサ台につまみ突部の機能を持たせることができてコントローラの構造の簡略化が図られるものである。
【００５１】
また、本発明の請求項５記載の玄関足元照明装置にあっては、請求項１の効果に加えて、上記収納部を、上がり框の下部に少なくとも前方に開口する切欠部を設けると共に上記切欠部に少なくとも前方に開口した収納ボックスを装着することで形成し、上記収納ボックスの下端位置に水抜き開口を設けたので、玄関土間の清掃時などに収納部内に水が浸入しても、上記収納部を形成する収納ボックスの下端位置の水抜き開口から上記収納部に侵入した水を速やかに抜くことができるものであって、収納部に収納される照明装置におけるショート等の不具合を避けることができるものである。
【００５２】
また、本発明の請求項６記載の玄関足元照明装置にあっては、請求項１の効果に加えて、コントローラと照明部とから構成した照明装置を収納した収納部５にはその開口を塞ぐようにカバーを被着し、上記カバーには収納部に収納した照明部を覆う照明部カバーを有し、上記照明部カバーの上部を非透光材で形成すると共に上記照明部カバーの下部を透光材で形成したので、収納部に収納した照明部が発する照明光のうち上方に照射される照明光を照明部カバーの非透光材で遮断することができ、玄関土間にいる人の目に直接照明光が入らないようにできると共に玄関土間の足元部分のみを照射させることができるものであり、つまり足元照明の足元照射性能を確実なものにすることができる。
【００５３】
また、本発明の請求項７記載の玄関足元照明装置にあっては、請求項１の効果に加えて、上記貫通孔に、電源線の余長部分を収納させる上記コントローラの裏方の空間を設けたので、電源線の先端を照明装置に連結させる際には、上記電源線は玄関土間側に引っ張って照明装置に連結されるものであって、上記電源線を接続した照明装置を収納部に収納すると電源線には余長部分が生じるものであるが、電源線を挿通させた貫通孔に上記コントローラの裏方の空間を設けたことで、上記電源線を接続した照明装置を収納部に収納する作業動作で上記電源線の余長部分を上記コントローラの裏方の空間に自然に収めることができ、つまり、電源線の収まりを良くして照明装置を収納ボックス内に収納する施工を良好にできるものである。
【図面の簡単な説明】
【図１】本発明の実施の形態の例を示す側面断面図である。
【図２】同上の斜視図である。
【図３】同上の照明装置の収納部への収納施工作業を示す概略斜視図である。
【図４】同上の玄関足元照明装置を示すものであり、（ａ）は上面図であり、（ｂ）は正面図である。
【図５】（ａ）は図４のＡ−Ａ線断面図であり、（ｂ）は図４のＢ−Ｂ線断面図である。
【図６】図１のＣ部分の拡大図である。
【図７】本発明の実施の形態の他例を示す側面断面図である。
【図８】本発明の実施の形態の更に他例を示すものであり、（ａ）は上がり框の正面図であり、（ｂ）は上がり框の下面図である。
【図９】同上のコントローラ収納ボックスを示すものであり、（ａ）は正面図であり、（ｂ）は下面図である。
【図１０】図９（ａ）のＤ−Ｄ線断面図である。
【図１１】同上のコントローラカバーを示すものであり、（ａ）は正面図であり、（ｂ）は（ａ）のＥ−Ｅ線断面図であり、（ｃ）は（ａ）のＦ−Ｆ線断面図である。
【図１２】同上のコントローラを示すものであり、（ａ）は上面図であり、（ｂ）は正面図であり、（ｃ）は下面図であり、（ｄ）は背面図であり、（ｅ）は側面図である。
【図１３】同上のコントローラをコントローラ収納ボックス内に収納させた状態を示すものであり、（ａ）は平面断面図であり、（ｂ）は正面図であり、（ｃ）は側面断面図である。
【図１４】同上のコントローラを内部に収納させたコントローラ収納ボックス内にコントローラカバーを被着させた状態を示すものであり、（ａ）は正面図であり、（ｂ）は側面断面図である。
【図１５】同上の照明部収納ボックスを示すものであり、（ａ）は側面図であり、（ｂ）は正面図である。
【図１６】（ａ）は図１５（ｂ）のＧ−Ｇ線断面図であり、（ｂ）は図１５（ｂ）のＨ−Ｈ線断面図である。
【図１７】同上の照明部カバーを示すものであり、（ａ）は側面図であり、（ｂ）は裏面図である。
【図１８】同上の照明部収納ボックスに収納した照明部を示す正面図である。
【図１９】同上の照明部収納ボックスに照明部カバーを被着させた状態の側面図である。
【図２０】同上の施工作業を説明するものであって、照明部収納ボックスに照明部を収納して照明部から縁出した配電線を玄関土間側に引き出した状態を示すものであり、（ａ）は正面図であり、（ｂ）は（ａ）のＩ−Ｉ断面図である。
【図２１】同上の施工作業を説明するものであって、照明装置を収納部である収納ボックスに収納した状態を示す正面図である。
【図２２】同上の玄関足元照明装置を示す上面図である。
【図２３】従来技術の例を示す側面断面図である。
【図２４】同上の電源線の照明装置への連結施工を示す側面断面図である。
【符号の説明】
１  玄関土間
２  立上り部
３  玄関床面
４  上がり框
５  収納部
６  貫通孔
７  電源線
８  照明装置
９  つば片
１０  隙間空間
【図１】
0003747813.tif 000002
【図２】
0003747813.tif 000003
【図３】
0003747813.tif 000004
【図４】
0003747813.tif 000005
【図５】
0003747813.tif 000006
【図６】
0003747813.tif 000007
【図７】
0003747813.tif 000008
【図８】
0003747813.tif 000009
【図９】
0003747813.tif 000010
【図１０】
0003747813.tif 000011
【図１１】
0003747813.tif 000012
【図１２】
0003747813.tif 000013
【図１３】
0003747813.tif 000014
【図１４】
0003747813.tif 000015
【図１５】
0003747813.tif 000016
【図１６】
0003747813.tif 000017
【図１７】
0003747813.tif 000018
【図１８】
0003747813.tif 000019
【図１９】
0003747813.tif 000020
【図２０】
0003747813.tif 000021
【図２１】
0003747813.tif 000022
【図２２】
0003747813.tif 000023
【図２３】
0003747813.tif 000024
【図２４】
0003747813.tif 000025